【事件の表示】
　特願２００４−　６９４９０「積層セラミックコンデンサ」拒絶査定不服審判事件〔平成１７年　９月２２日出願公開、特開２００５−２５９９８２〕について、次のとおり審決する。
【結　論】
　本件審判の請求は、成り立たない。
【理　由】
第１　本願は、平成１６年３月１１日を出願日とする出願であって、拒絶査定後以下の手続きがなされた。 
　平成１７年６月１０日　拒絶査定 
　平成１７年７月１４日　審判請求 
　平成１７年８月　４日　手続補正 
　平成１８年８月　１日　審尋 
　平成１８年９月２８日　回答 
　 
第２　平成１７年８月４日付けの手続補正（以下、「本件補正」という。）についての補正却下の決定 
[補正却下の決定の結論] 
　　平成１７年８月４日付けの手続補正を却下する。 
［理由］
　１　補正後の本願発明
　本件補正により、特許請求の範囲の請求項１は、
「【請求項１】
　セラミック素体と、内部電極と、ダミー電極と、端子電極とを含む積層セラミックコンデンサであって、
　前記内部電極は複数であり、それぞれは、対向電極と、引き出し電極とを含み、前記セラミック素体の厚み方向に間隔を隔てて層状に埋設されており、
　前記対向電極は、容量取得のための電極であり、
　前記引き出し電極は、一端が前記対向電極に連続し、他端が前記セラミック素体の側面に導出されて導出部を構成しており、
　前記ダミー電極は、前記内部電極が設けられた層において、前記内部電極の前記対向電極及び前記引き出し電極から分離して、複数設けられ、それぞれの一端部が前記側面に導出され、導出部を構成しており、
　各層の引き出し電極の前記導出部は、他の層に属するダミー電極の前記導出部と厚み方向において重なり、
　前記端子電極は、複数であって、それぞれは、前記セラミック素体の側面に互いに独立して形成され、前記引き出し電極の前記導出部、及び、前記引き出し電極の前記導出部と重なる前記ダミー電極の前記導出部に接続され、複数の対を構成しており、
　前記引き出し電極の前記導出部の一つに対し、前記ダミー電極の前記導出部の複数層が、前記セラミック素体の層を介して厚み方向に連続して重なり、それらが前記端子電極の一つに接続されている
積層セラミックコンデンサ。」と補正された。 
　
　上記補正は、特許法第１７条の２第４項第２号の特許請求の範囲の減縮を目的とするものに該当する。
　
　そこで、本件補正後の前記請求項１に記載された発明（以下、「本願補正発明」という。）が特許出願の際独立して特許を受けることができるものであるか（特許法第１７条の２第５項において準用する同法第１２６条第５項の規定に適合するか）について以下に検討する。
　
　２　独立特許要件について
　（１）刊行物に記載された発明
　　（ア）刊行物１：特開２００３−３１４３５号公報
　原査定の拒絶の理由に引用された刊行物１には、「多端子型の積層セラミック電子部品」（発明の名称）に関して、図１〜図５とともに以下の事項が記載されている。（なお、下線は、引用箇所のうち特に強調する部分に付加した。以下、同様。）
「【０００８】
【発明の実施の形態】以下、図１〜図３を参照して説明すると、図示実施の形態は、図１で示すように
８端子
積層セラミックコンデンサ
引出し電極を導出する内部電極を設けた
複数
積層セラミック素体１０
【０００９】その製造工程を概略的に説明すると、キャリアテープの面上に塗布するセラミックペーストから部品複数取り用の広い面積のセラミックグリーンシートを作製し、このセラミックグリーンシートの乾燥後、導電性ペーストをセラミックグリーンシートの面上に印刷することから内部電極より部品本体の幅方向に導出する
引出し電極を含む内部電極
【００１０】そのセラミックシートを用いては、内部電極と交互になるよう複数積層させて部品複数個取り用のセラミック積層体を作製し、これを部品単位に切断後焼成処理することにより、部品本体となる積層セラミックチップ素体を作製する。最終工程で、８個の
外部電極１１ａ，１１ｂ…積層セラミック素体の端部面に露出する引出し電極と電気的に接続させて設ける
【００１１】その製造工程中で、図１で示す（１パターンで例示）ように
引出し電極２を含む内部電極１
この補填層４ａ，４ｂ，４ｃ…は、
引出し電極（図４並びに図５参照）と位置合わせし、内部電極１並びに引出し電極２と分離させて同厚みの方形状に形成する
【００１２】そのシート厚みの補填層４ａ，４ｂ，４ｃ…を設けたセラミックグリーンシート３を内部電極２と交互に積層させてセラミック層を形成すると、両側寄りのセラミック層には厚み補填層４ａ，４ｂ，４ｃ…が加わるから内部電極２を積層する中央厚みと同等となる。また、
補填層４ａ，４ｂ，４ｃ…が他のセラミックグリーンシートの面内に設けられる引出し電極と位置合わせさせて方形状に形成されている
【００１３】そのシート厚みの補填層を設けたセラミックグリーンシートからセラミック層を形成する多端子型の積層セラミックコンデンサでは、両側寄りと中央厚みとが同等であるから、
セラミックグリーンシートの積層後に施す加圧圧着
セラミックグリーンシート相互の接合面積も十分に保てる
　
　上記複数の内部電極のそれぞれは、図２のように内部電極の内、対向する部分の電極（以下「
対向部分の電極
　
　上記記載を整理すると以下のとおりである。
　刊行物１の「積層セラミック素体１０」（段落０００８）、「引出し電極を含む内部電極」（段落０００９）、「補填層」（段落００１１）、「外部電極１１ａ，１１ｂ」（段落００１０）についての各記載から、刊行物１の「積層セラミックコンデンサ」は、
（ａ）積層セラミック素体１０と、内部電極と、補填層と、外部電極１１ａ，１１ｂとを含む積層セラミックコンデンサである。
　
　刊行物１の「各々異なる位置から
引出し電極を導出する内部電極を設けた
複数
積層セラミック素体１０
　内部電極は複数である。
　それぞれの内部電極は、
対向部分の電極
　「
セラミックグリーンシートの積層後に施す加圧圧着
　上記対向部分の電極は、容量取得のための電極であると言える。
　前記引出し電極は、一端が前記内部電極に連続し、他端が積層セラミック素体の端部面に露出するから（段落００１０）、前記積層セラミック素体１０の側面に導出されて導出部を構成していると言える（図２）。
　
　以上から、刊行物１の「積層セラミックコンデンサ」は、
（ｂ）前記内部電極は複数であり、それぞれは、対向部分の電極と、引出し電極とを含み、積層セラミック素体１０の厚み方向に間隔を隔てて層状に埋設されており、
　前記対向部分の電極は、容量取得のための電極であり、
　前記引出し電極は、一端が前記内部電極に連続し、他端が前記積層セラミック素体１０の側面に導出されて導出部を構成している。
　
　刊行物１の「この
補填層４ａ，４ｂ，４ｃ…は、
内部電極１並びに引出し電極２と分離させて
（ｃ）前記補填層は、前記内部電極が設けられた層において、前記内部電極の前記対向部分の電極及び前記引出し電極から分離して、複数設けられている。
　
　刊行物１の「最終工程で、８個の
外部電極１１ａ，１１ｂ
積層セラミック素体の端部面に露出する引出し電極と電気的に接続させて設ける
（ｄ）前記外部電極１１ａ，１１ｂ…は、複数であって、それぞれは、前記積層セラミック素体の側面に互いに独立して形成され、前記引出し電極の前記導出部に接続され、複数の対を構成している。
　
　したがって、刊行物１には以下の発明が記載されている。
「（ａ）積層セラミック素体１０と、内部電極と、補填層と、外部電極１１ａ，１１ｂとを含む積層セラミックコンデンサであって、
（ｂ）前記内部電極は複数であり、それぞれは、対向部分の電極と、引出し電極とを含み、積層セラミック素体１０の厚み方向に間隔を隔てて層状に埋設されており、
　前記対向部分の電極は、容量取得のための電極であり、
　前記引出し電極は、一端が前記内部電極に連続し、他端が前記積層セラミック素体１０の側面に導出されて導出部を構成しており、
（ｃ）前記補填層は、前記内部電極が設けられた層において、前記内部電極の前記対向部分の電極及び前記引出し電極から分離して、複数設けられ、
（ｄ）前記外部電極１１ａ，１１ｂ…は、複数であって、それぞれは、前記積層セラミック素体の側面に互いに独立して形成され、前記引出し電極の前記導出部に接続され、複数の対を構成した積層セラミックコンデンサ。」（以下「引用発明」という。）
　
　　（イ）刊行物２：特開２００２−３０５１２７号公報
　原査定の拒絶の理由に引用文献２として引用された刊行物２には、「積層セラミック電子部品およびその製造方法」（発明の名称）に関して、図１〜図６とともに以下の事項が記載されている。
「【００３３】主パターン部１２２，１４２と、ダミーパターン部１２４，１４４とを途切れ２０，２２を介して絶縁することで、外部電極６，８との間での望まない電気的接続が防止され、コンデンサとして機能させることができるとともに、
ダミーパターン部が存在することにより段差発生の諸問題が効果的に防止される
ダミーパターン部１２４の第１端部１２ａを第１外部電極６に接続させてあり、ダミーパターン部１４４の第２端部１４ｂを第２外部電極８に接続させてある
　図１〜４には、ダミーパターン部の、第１、２端部１２ａ、１４ｂが、コンデンサ素体４の側面に導出されたことが示されている。
　
　　（ウ）刊行物３：特開昭５９−５１５１６号公報
　平成１８年９月１３日付け通知書で通知した刊行物等提出書に（刊行物１）として記載された刊行物３には、「積層型コンデンサ」（発明の名称）に関して、第４図とともに以下の事項が記載されている。
「端面電極６，７を導出電極導体層４，５の端部のみでなく
独立導体層１０，１１の端部にも同時に接続する
接着強度を向上させる
　
　　（エ）刊行物４：特開平９−１２９４７６号公報
　上記刊行物等提出書に（刊行物２）として記載された刊行物４には、「セラミック電子部品」（発明の名称）に関して、図１〜６とともに以下の事項が記載されている。
「【００１１】また、前記
ダミー内部電極を
露出させ
露出部分に接合させる
外部電極の素子への固着強度を向上させ
「【００１５】そして、この積層セラミックコンデンサにおいては、素子３の両端側に、容量形成に寄与しないダミー内部電極５が多数層配設されており、各
ダミー内部電極５の端部は、素子３の両端面の外部電極４が配設される位置に露出している。
外部電極４は
ダミー内部電極５の露出部分（端部）とも接合しており、素子３に強固に固定されている。
　
　　（オ）刊行物５：特開２００４−４００８４号公報
　本願出願前に頒布された新たな刊行物５には、「めっき端子」（発明の名称）に関して、図２Ａ、Ｂ、図７Ｂ、図８Ｂとともに以下の事項が記載されている。
「【００１３】
【課題を解決するための手段】
ここに開示する技術の別の主要な目的は、内部電極タブを設け、追加のアンカータブをオプションで配置することにより、メッキ端子の形成をガイドする方法を提供することにある。内部電極タブと追加のアンカータブは、共に、固定され信頼性のある外部メッキの形成を容易にすることができる。
アンカータブは、典型的には、内部的には電気接続せず、アンカータブを設けることにより、外部端子の接続性を向上させ
「【００４８】
図７Ｂのメッキ端子５０は、電子コンポーネントの幾つかの応用例のためには、充分に形成可能なものであるが、本技術の自己決定的端子を形成するには、内部電極タブからの露出メタライゼーションが不充分なこともある。このような場合においては、モノリシック電子コンポーネントの選択部分にアンカータブを埋め込むことが有益である場合がある。
アンカータブは
機械的な核となる
モノリシックデバイスの外面に追加のメッキ端子を固定する
露出したアンカータブ
「【００５０】
図２Ｂを説明する。・・・露出したアンカータブ５８を示す。・・・」
　
（２）本願補正発明と引用発明との対比（一致点と相違点） 
（ａ）引用発明の「積層セラミック素体１０と、内部電極と、補填層と、外部電極１１ａ，１１ｂとを含む積層セラミックコンデンサ」は、
　本願補正発明の「セラミック素体と、内部電極と、ダミー電極と、端子電極とを含む積層セラミックコンデンサ」に相当する。
　
　引用発明の内部電極の内の「対向部分の電極」は、本願補正発明の「対向電極」に相当する。したがって、
（ｂ）引用発明の「前記内部電極は複数であり、それぞれは、対向部分の電極と引出し電極とを含み、積層セラミック素体１０の厚み方向に間隔を隔てて層状に埋設されており、
　前記対向部分の電極は、容量取得のための電極であり、
　前記引出し電極は、一端が前記内部電極に連続し、他端が前記積層セラミック素体１０の側面に導出されて導出部を構成して」いる点は、
　本願補正発明の「前記内部電極は複数であり、それぞれは、対向電極と、引き出し電極とを含み、前記セラミック素体の厚み方向に間隔を隔てて層状に埋設されており、
　前記対向電極は、容量取得のための電極であり、
　前記引き出し電極は、一端が前記対向電極に連続し、他端が前記セラミック素体の側面に導出されて導出部を構成して」いる点に相当する。
　
（ｃ）引用発明の「前記補填層は、前記内部電極が設けられた層において、前記内部電極の前記対向部分の電極及び前記引出し電極から分離して、複数設けられ」た点は、
　本願補正発明の「前記ダミー電極は、前記内部電極が設けられた層において、前記内部電極の前記対向電極及び前記引き出し電極から分離して、複数設けられ」た点に相当する。
　
（ｄ）引用発明の「前記外部電極１１ａ，１１ｂ…は、複数であって、それぞれは、前記前記セラミック素体の側面に互いに独立して形成され、前記引出し電極の前記導出部に接続され、複数の対を構成した積層セラミックコンデンサ。」の点は、
　本願補正発明の「前記端子電極は、複数であって、それぞれは、前記セラミック素体の側面に互いに独立して形成され、前記引き出し電極の前記導出部に接続され、複数の対を構成した積層セラミックコンデンサ。」の点に相当する。
　
　したがって、本願補正発明と、上記引用発明とは、以下の点で一致し、相違する。
（一致点） 
「　セラミック素体と、内部電極と、ダミー電極と、端子電極とを含む積層セラミックコンデンサであって、
　前記内部電極は複数であり、それぞれは、対向電極と、引き出し電極とを含み、前記セラミック素体の厚み方向に間隔を隔てて層状に埋設されており、
　前記対向電極は、容量取得のための電極であり、
　前記引き出し電極は、一端が前記対向電極に連続し、他端が前記セラミック素体の側面に導出されて導出部を構成しており、
　前記ダミー電極は、前記内部電極が設けられた層において、前記内部電極の前記対向電極及び前記引き出し電極から分離して、複数設けられ、
　前記端子電極は、複数であって、それぞれは、前記セラミック素体の側面に互いに独立して形成され、前記引き出し電極の前記導出部に接続され、複数の対を構成した積層セラミックコンデンサ。」 
　
（相違点）
相違点１
　本願補正発明のダミー電極は、「それぞれの一端部が前記（セラミック素体の）側面に導出され、導出部を構成して」いるのに対して、
　引用発明は、そのような構成を備えていない点。
　
相違点２
　本願補正発明は、
「（２−１）各層の引き出し電極の前記導出部は、他の層に属するダミー電極の前記導出部と厚み方向において重なり、
（２−２）前記端子電極は、複数であって、それぞれは、前記セラミック素体の側面に互いに独立して形成され、前記引き出し電極の前記導出部、及び、前記引き出し電極の前記導出部と重なる前記ダミー電極の前記導出部に接続され、複数の対を構成しており、
（２−３）前記引き出し電極の前記導出部の一つに対し、前記ダミー電極の前記導出部の複数層が、前記セラミック素体の層を介して厚み方向に連続して重なり、それらが前記端子電極の一つに接続されている」
という構成を備えているのに対して、
　引用発明は、そのような構成（特にダミー電極の導出部に関する構成）を備えていない点。
　
（３）　当審の判断
相違点１について
　本願明細書には、従来の課題として
「【００２３】
  これに対して、例えば、特許文献２（段落０００６記載の特開２００３−３１４３５号公報（刊行物１、引用発明））に記載された積層セラミックコンデンサは、
ダミー電極がセラミック素体の端部に届いてない
厚み方向に７層分のギャツプを生じる
課題を解決するための手段の作用効果として、
「【００２２】
  このため、厚み方向に整列した引き出し電極及びダミー電極に、厚み方向に沿った形状の端子電極を接続できる。これにより、本発明に係る積層セラミックコンデンサは、
ダミー電極と端子電極との接合強度分だけ、内部電極と端子電極との接合強度が高くなり、接続が良好となる。
　
　これに対して、刊行物２には、第１、２端部１２ａ、１４ｂが、コンデンサ素体４の側面に導出されたダミーパターン部が記載されるとともに、このような「ダミーパターン部が存在することにより
段差発生の諸問題が効果的に防止される
　これは、
ダミーパターン部がコンデンサ素体の端部に届いていないので、厚み方向に複数層分のギャップが生じる
　さらに、刊行物２には、「
ダミーパターン部１２４の第１端部１２ａを第１外部電極６に接続させてあり、ダミーパターン部１４４の第２端部１４ｂを第２外部電極８に接続させてある
　そうすれば、ダミーパターン部と外部電極とが接合した強度分だけ、主パターン部（内部電極）と外部電極との接合強度が高くなり、接続が良好となることは、当然のことである。
　また、刊行物２のように、ダミーパターン部を導出し、これと外部電極とを接続して、接合強度が高くなり、接続が良好となることは、上記刊行物３〜５の記載のとおり周知である。
　
　したがって、引用発明において、外部電極との接合強度を高めるべく、刊行物２及び刊行物３〜５に記載のように、厚み補填層４ａ〜４ｃ（ダミー電極）を、「それぞれの一端部が前記（積層セラミック素体の）側面に導出され、導出部を構成」するようにすることは、当業者であれば適宜なし得たことである。
　
（なお、刊行物１には、「【０００５】・・
補填層が積層セラミック素体の長手方向略全長に亘る帯状を呈する
セラミックグリーンシート相互の接合面積を少なくし
　
　相違点２について
　刊行物１には、引用発明の実施の態様として「
補填層４ａ，４ｂ，４ｃ…が他のセラミックグリーンシートの面内に設けられる引出し電極と位置合わせさせて
形成されている
　
　したがって、引用発明において、このように、
位置合わせさせて、
（２−１’）「各層の引出し電極の導出部は、他の層に属する補填層の前記導出部と厚み方向において重な」り、
（２−２’）「前記外部電極１１ａ，１１ｂは、複数であって、それぞれは、前記積層セラミック素体の側面に互いに独立して形成され、前記引出し電極の前記導出部、及び、前記引出し電極の前記導出部と重なる前記補填層（ダミー電極）極の前記導出部に接続され、複数の対を構成」し、
（２−３’）「引出し電極の前記導出部の一つに対し、前記補填層（ダミー電極）の前記導出部の複数層が、前記積層セラミック素体１０の層を介して厚み方向に連続して重なり、それらが前記外部電極１１ａ，１１ｂの一つに接続され」る。
　
　したがって、引用発明において、上記のようにして、本願補正発明の相違点２の（２−１）〜（２−３）の構成を備えることは、当業者が適宜なし得たことである。
　
　また、本願補正発明の効果についても、刊行物１、２に記載された発明及び刊行物３〜５に記載の周知技術から予測された範囲内のものであり、格別のものは認められない。
　
　したがって、本願補正発明は、刊行物１、２に記載された発明及び刊行物３〜５に記載の周知技術に基づいて、当業者が容易に発明をすることができたものであるから、特許法第２９条第２項の規定により、特許出願の際独立して特許を受けることができないものである。
　
　 
３　むすび 
　以上のとおり、本件補正は、特許法第１７条の２第５項において準用する同法第１２６条第５項の規定に適合しないので、特許法第１５９条第１項において読み替えて準用する同法第５３条第１項の規定により却下すべきものである。 
　
第３　本願発明について
　１　本願発明
　平成１７年８月４日付けの手続補正は上記のとおり却下されたので、本願の請求項１に係る発明（以下、「本願発明」という。）は、平成１７年３月２２日付け手続補正書の特許請求の範囲の請求項１に記載された事項により特定される、以下のとおりのものである。
「【請求項１】
　セラミック素体と、内部電極と、ダミー電極と、端子電極とを含む積層セラミックコンデンサであって、
　前記内部電極は複数であり、それぞれは、対向電極と、引き出し電極とを含み、前記セラミック素体の厚み方向に間隔を隔てて層状に埋設されており、
　前記対向電極は、容量取得のための電極であり、
　前記引き出し電極は、一端が前記対向電極に連続し、他端が前記セラミック素体の側面に導出されて導出部を構成しており、
　前記ダミー電極は、前記内部電極が設けられた層において、前記内部電極の前記対向電極及び前記引き出し電極から分離して、複数設けられ、それぞれの一端部が前記側面に導出され、導出部を構成しており、
　各層の引き出し電極の前記導出部は、他の層に属するダミー電極の前記導出部と厚み方向において重なり、
　前記端子電極は、複数であって、それぞれは、前記セラミック素体の側面に互いに独立して形成され、前記引き出し電極の前記導出部、及び、前記引き出し電極の前記導出部と重なる前記ダミー電極の前記導出部に接続され、複数の対を構成している、
積層セラミックコンデンサ。」
　
　２　刊行物に記載された発明
　前記第２の２（１）に記載したとおりである。　
　
　３　本願発明と引用発明との対比（一致点と相違点） 
（ａ）引用発明の「積層セラミック素体１０と、内部電極と、補填層と、外部電極１１ａ，１１ｂとを含む積層セラミックコンデンサ」は、
　本願発明の「セラミック素体と、内部電極と、ダミー電極と、端子電極とを含む積層セラミックコンデンサ」に相当する。
　
　引用発明の内部電極の内の「対向部分の電極」は、本願発明の「対向電極」に相当する。したがって、
（ｂ）引用発明の「前記内部電極は複数であり、それぞれは、対向部分の電極と引出し電極とを含み、積層セラミック素体１０の厚み方向に間隔を隔てて層状に埋設されており、
　前記対向部分の電極は、容量取得のための電極であり、
　前記引出し電極は、一端が前記内部電極に連続し、他端が前記積層セラミック素体１０の側面に導出されて導出部を構成して」いる点は、
　本願発明の「前記内部電極は複数であり、それぞれは、対向電極と、引き出し電極とを含み、前記セラミック素体の厚み方向に間隔を隔てて層状に埋設されており、
　前記対向電極は、容量取得のための電極であり、
　前記引き出し電極は、一端が前記対向電極に連続し、他端が前記セラミック素体の側面に導出されて導出部を構成して」いる点に相当する。
　
（ｃ）引用発明の「前記補填層は、前記内部電極が設けられた層において、前記内部電極の前記対向部分の電極及び前記引出し電極から分離して、複数設けられ」た点は、
　本願発明の「前記ダミー電極は、前記内部電極が設けられた層において、前記内部電極の前記対向電極及び前記引き出し電極から分離して、複数設けられ」た点に相当する。
　
（ｄ）引用発明の「前記外部電極１１ａ，１１ｂ…は、複数であって、それぞれは、前記前記セラミック素体の側面に互いに独立して形成され、前記引出し電極の前記導出部に接続され、複数の対を構成した積層セラミックコンデンサ。」の点は、
　本願発明の「前記端子電極は、複数であって、それぞれは、前記セラミック素体の側面に互いに独立して形成され、前記引き出し電極の前記導出部に接続され、複数の対を構成した積層セラミックコンデンサ。」の点に相当する。
　
　したがって、本願発明と、上記引用発明とは、以下の点で一致し、相違する。
（一致点） 
「セラミック素体と、内部電極と、ダミー電極と、端子電極とを含む積層セラミックコンデンサであって、
　前記内部電極は複数であり、それぞれは、対向電極と、引き出し電極とを含み、前記セラミック素体の厚み方向に間隔を隔てて層状に埋設されており、
　前記対向電極は、容量取得のための電極であり、
　前記引き出し電極は、一端が前記対向電極に連続し、他端が前記セラミック素体の側面に導出されて導出部を構成しており、
　前記ダミー電極は、前記内部電極が設けられた層において、前記内部電極の前記対向電極及び前記引き出し電極から分離して、複数設けられ、
　前記端子電極は、複数であって、それぞれは、前記セラミック素体の側面に互いに独立して形成され、前記引き出し電極の前記導出部に接続され、複数の対を構成した積層セラミックコンデンサ。」 
　
（相違点）
相違点１
　本願発明のダミー電極は、「それぞれの一端部が前記（セラミック素体の）側面に導出され、導出部を構成して」いるのに対して、
　引用発明は、そのような構成を備えていない点。
　
相違点２
　本願発明は、
「（２−１）各層の引き出し電極の前記導出部は、他の層に属するダミー電極の前記導出部と厚み方向において重なり、
（２−２）前記端子電極は、複数であって、それぞれは、前記セラミック素体の側面に互いに独立して形成され、前記引き出し電極の前記導出部、及び、前記引き出し電極の前記導出部と重なる前記ダミー電極の前記導出部に接続され、複数の対を構成している」
という構成を備えているのに対して、
　引用発明は、そのような構成（特にダミー電極の導出部に関する構成）を備えていない点。
　
４　当審の判断
相違点１について
　上記第２の２（３）の相違点１についての判断と同じである。　
　
　相違点２について
　刊行物１には、引用発明の実施の態様として「
補填層４ａ，４ｂ，４ｃ…が他のセラミックグリーンシートの面内に設けられる引出し電極と位置合わせさせて
形成されている
　
　したがって、引用発明において、このように、
位置合わせさせて、
（２−１’）「各層の引出し電極の導出部は、他の層に属する補填層の前記導出部と厚み方向において重な」り、
（２−２’）「前記外部電極１１ａ，１１ｂは、複数であって、それぞれは、前記積層セラミック素体の側面に互いに独立して形成され、前記引出し電極の前記導出部、及び、前記引出し電極の前記導出部と重なる前記補填層（ダミー電極）極前記導出部に接続され、複数の対を構成して」いることになる。
　
　したがって、引用発明において、上記のようにして、本願発明の相違点２の（２−１）〜（２−２）の構成を備えることは、当業者が適宜なし得たことである。
　
　また、本願発明の効果についても、刊行物１、２に記載された発明及び刊行物３〜５に記載の周知技術から予測された範囲内のものであり、格別のものは認められない。
　
　したがって、本願発明は、刊行物１、２に記載された発明及び刊行物３〜５に記載の周知技術に基づいて、当業者が容易に発明をすることができたものである。
　
　５　むすび
　以上のとおり、本願発明は、刊行物１、２に記載された発明及び刊行物３〜５に記載の周知技術に基づいて、当業者が容易に発明をすることができたものであるから、特許法第２９条第２項の規定により特許を受けることができず、他の請求項に係る発明について検討するまでもなく、本願は拒絶されるべきものである。
　よって、結論のとおり審決する。